(57)【要約】  本発明の液組成物はアルコキシグリコール成分を含み、組成物は、組成物の質量を基準として約１０質量％以下のホウ酸エステルを含む。組成物の物理的性質は、高い乾燥平衡還流沸点（ＥＲＢＰ）、高い湿潤平衡還流沸点（ＷＥＲＢＰ）および低温粘度を含む。これらの組成物は、それらの物理的性質（例えばＷＥＲＢＰ、ＥＲＢＰおよび低温粘度）が、連邦自動車規格Ｎｏ．１１６に基づくＤＯＴ３ブレーキ液のための規定を満足しまたは上回るので、特に有用である。【特許請求の範囲】
【請求項１】
式
ＲＯ（ＣＨ2ＣＨ2Ｏ）nＨ
（ここで、Ｒは１〜８個の炭素原子を含むアルキル基またはそれらの混合物である。）
からなるアルコキシグリコール成分約５０質量％〜約１００質量％（ただし、ｎ＝２のアルコキシグリコールはアルコキシグリコール成分の約０．２５質量％〜約１０質量％の量で存在し、ｎが４以上のアルコキシグリコールはアルコキシグリコール成分の約０質量％〜約３０質量％の量で存在する。）、
式
［ＲＯ（ＣＨ2ＣＨ2Ｏ）nＨ］3−Ｂ
（ここで、Ｒは１〜８個の炭素原子を含むアルキル基またはそれらの混合物であり、ｎは２〜４である。）
からなるアルコキシグリコールホウ酸エステル約０質量％〜約１０質量％、および
腐食抑制剤を含む添加剤パッケージ約０．３質量％〜約１０質量％
を含む機能液組成物。
【請求項２】
ｎ＝３のアルコキシグリコールがアルコキシグリコール成分の約９０質量％よりも多く、ｎ＝２のアルコキシグリコールがアルコキシグリコール成分の約０．５質量％〜約５．０質量％であり、そしてｎ＝４のアルコキシグリコールがアルコキシグリコール成分の約０質量％〜約１５質量％であることを特徴とする請求項１に記載の組成物。
【請求項３】
組成物の乾燥平衡還流沸点が約２０５℃以上であり、湿潤平衡還流沸点が約１４０℃以上であり、そして約−４０℃の温度での粘度が約１５００ｃＳｔ以下であることを特徴とする請求項２に記載の組成物。
【請求項４】
組成物が実質的にアルコキシグリコールホウ酸エステルを含まないことを特徴とする請求項３に記載の組成物。
【請求項５】
組成物の乾燥平衡還流沸点が約２５０℃以上であり、湿潤平衡還流沸点が１４５℃以上であり、約−４０℃の温度での粘度が約１０００ｃＳｔ以下であり、約−３０℃の温度での粘度が約３５０ｃＳｔ以下であり、またはそれらの組み合わせであることを特徴とする請求項４に記載の組成物。
【請求項６】
アルコキシグリコールが１つまたはそれ以上の高純度アルコキシグリコール成分を含むことを特徴とする請求項５に記載の組成物。
【請求項７】
さらにポリグリコールを組成物の約１５質量％〜約２０質量％の量で含む、請求項６に記載の組成物。
【請求項８】
添加剤パッケージが、酸化防止剤、消泡剤、腐食抑制剤、ｐＨ安定剤およびそれらの組み合わせを含むことを特徴とする請求項７に記載の組成物。
【請求項９】
式
ＲＯ（ＣＨ2ＣＨ2Ｏ）nＨ
（ここで、Ｒは１〜４個の炭素原子を含むアルキル基またはそれらの混合物であり、ｎは２以上である。）
からなるアルコキシグリコール成分を組成物の約５０質量％〜約１００質量％（ただし、Ｒが１個の炭素原子を含みかつｎが４以上であるアルコキシグリコールがアルコキシグリコール成分の約１０質量％〜約１５質量％の量で存在し、Ｒが４個の炭素原子を含みかつｎ＝２であるアルコキシグリコールがアルコキシグリコール成分の約０．５質量％〜約１０質量％の量で存在し、そしてＲが４個の炭素原子を含みかつｎ＝３であるアルコキシグリコールがアルコキシグリコール成分の約５０質量％〜約７５質量％の量で存在する。）、
式
［ＲＯ（ＣＨ2ＣＨ2Ｏ）nＨ］3−Ｂ
（ここで、Ｒは１〜８個の炭素原子を含むアルキル基またはそれらの混合物からなり、ｎは２〜４である。）
からなるアルコキシグリコールホウ酸エステルを組成物の約０質量％〜約１０質量％、および
腐食抑制剤を含む添加剤パッケージを組成物の約０．３質量％〜約１０質量％
含む機能液組成物。
【請求項１０】
アルコキシグリコール成分が、さらに、
Ｒが４個の炭素原子を含みかつｎ＝３であるアルコキシグリコール成分約７５質量％〜約８５質量％、
Ｒが４個の炭素原子を含みかつｎ＝２であるアルコキシグリコール成分約０．５質量％〜約１０質量％、および
Ｒが４個の炭素原子を含みかつｎが４以上であるアルコキシグリコール成分約０質量％〜約１０質量％
を含むことを特徴とする請求項９に記載の組成物。
【請求項１１】
組成物の乾燥平衡還流沸点が約２０５℃以上であり、湿潤平衡還流沸点が１４０℃以上であり、そして約−４０℃の温度での粘度が約１５００ｃＳｔ以下であることを特徴とする請求項１０に記載の組成物。
【請求項１２】
組成物が実質的にアルコキシグリコールホウ酸エステルを含まないことを特徴とする請求項１１に記載の組成物。
【請求項１３】
組成物の乾燥平衡還流沸点が約２５０℃以上であり、湿潤平衡還流沸点が１４５℃以上であり、約−４０℃の温度での粘度が約１０００ｃＳｔ以下であり、またはそれらの組み合わせであることを特徴とする請求項１２に記載の組成物。
【請求項１４】
さらにポリグリコールを組成物の約１５質量％〜約２０質量％の量で含む、請求項１３に記載の組成物。
【請求項１５】
添加剤パッケージが、酸化防止剤、消泡剤、腐食抑制剤、ｐＨ安定剤またはそれらの組み合わせを含むことを特徴とする請求項１４に記載の組成物。
【請求項１６】
約５０質量％〜約１００質量％のアルコキシグリコール成分、約０質量％〜約１０質量％のアルコキシグリコールホウ酸エステル、および約０．３０質量％〜約１０質量％の添加剤パッケージを含む液を含む車両ブレーキ装置であって、
アルコキシグリコール成分が、約９５質量％〜約９９質量％のブトキシトリグリコール、約０．５０質量％〜約５質量％のブトキシジグリコール、約０質量％〜約５質量％のブトキシポリグリコール、および約１０〜約１５質量％のメトキシポリグリコールを含むことを特徴とする車両ブレーキ装置。
【請求項１７】
装置が昇圧ポンプを含まないことを特徴とする請求項１６に記載のブレーキ装置。
【請求項１８】
液が実質的にアルコキシホウ酸エステルを含まないことを特徴とする請求項１７に記載のブレーキ装置。
【請求項１９】
液が、さらにホウ酸エステルを実質的に含まないＤＯＴ３ブレーキ液を含み、約２０５℃以上の乾燥平衡還流沸点、１４０℃以上の湿潤平衡還流沸点、および約１０００ｃＳｔ以下の約−４０℃の温度での粘度を有することを特徴とする請求項１８に記載のブレーキ装置。
【請求項２０】
添加剤パッケージが、さらに、酸化防止剤、消泡剤、腐食抑制剤、ｐＨ安定剤、またはそれらの組み合わせを含むことを特徴とする請求項１９に記載のブレーキ装置。
【発明の詳細な説明】
【技術分野】
【０００１】
本発明は、種々の用途に有用な低粘度機能液に関する。本発明の機能液は、低温での急ブレーキや思いどおりの運転のためのより低粘度の液から利益を得る自動車車両のためのアンチロックブレーキ装置または安定性制御装置のブレーキ液のような圧媒液として特に有用である。
【背景技術】
【０００２】
電子的なまたは自動化されたアンチロックブレーキ装置および安定性制御装置のような新しく開発された装置は、適切な物理的および性能の特性を有する高性能ブレーキ液の必要性を生み出した。特に、望まれる最小の乾燥平衡還流沸点（ＥＲＢＰ）および湿潤平衡還流沸点（ＷＥＲＢＰ）温度を満足しまたは上回りながら良好な低温粘度を有する高性能ブレーキ液の強い需要がある。ブレーキ液のための一組の規格は、連邦自動車規格１１６として知られており、それは規格ＤＯＴ３およびＤＯＴ４を含み、それらの規格は下に示すとおりである。
【０００３】
【表１】
2009507938.tif 000002
【０００４】
他の規格としてはＳＡＥ  Ｊ１７０３およびＩＳＯ４９２５が挙げられる。
【発明の開示】
【発明が解決しようとする課題】
【０００５】
これらの規格を満足する機能液は知られているかもしれないが、ホウ酸エステルの必要性を最小限にしまたは省略するものを含む、コスト効率の良い他の選択肢に用いることができる容易に入手可能な成分を用いる液のニーズがある。
【課題を解決するための手段】
【０００６】
発明者は、ＤＯＴ３ブレーキ液として用いることができる、乾燥平衡還流沸点、湿潤平衡還流沸点および低温粘度を有する機能液組成物の提供によって、上記の１つまたはそれ以上の課題の解決策を認識した。さらに、ホウ酸エステルの使用の最小化が望ましい。さらに、その組成物の低温粘度は十分に低いので、ブレーキ液として用いられたときに、ブレーキ装置は、緊急事態において十分にブレーキをかけるために、空気または液圧の昇圧機を必要としない。
【発明を実施するための最良の形態】
【０００７】
本発明の機能液組成物は多くの用途を有する。しかしながら、それらは、ブレーキ液のような圧媒液として特に有用である。本発明の液組成物は、組成物の質量を基準としてホウ酸エステルを約１０質量％以下含むアルコキシグリコール混合物を含む。組成物の物理的性質は、高い乾燥平衡還流沸点（ＥＲＢＰ）、高い湿潤平衡還流沸点（ＷＥＲＢＰ）および低温粘度を含む。
本発明の機能液組成物は、その物理的性質（例えばＷＥＲＢＰ、ＥＲＢＰおよび低温粘度）が連邦自動車規格Ｎｏ．１１６に基づくＤＯＴ３ブレーキ液の規定を満足するので、特に有用である。
【０００８】
本発明の組成物の物理的性質は、ホウ酸塩エステルの存在とともに、またはそれの欠如とともに、それがブレーキ液として特によく役立つのを可能にする。さらに、ホウ酸エステルを欠く組成物は、ＤＯＴ３ブレーキ液のために必要な条件を満たす。
【０００９】
本発明の機能液は次のものを含む。
（ａ）組成物の全質量を基準として約５０質量％〜約１００質量％のアルコキシグリコール成分、
（ｂ）組成物の全質量を基準として約０質量％〜約１０質量％のアルコキシグリコールホウ酸エステル成分、および
（ｃ）組成物の全質量を基準として約０．３０質量％〜約１０質量％の添加剤パッケージ。
【００１０】
好ましくは、アルコキシグリコール成分は式ＲＯ（ＣＨ2ＣＨ2Ｏ）nＨを有する。式中、Ｒは１〜８個の炭素原子を含むアルキル基またはそれらの混合物であり、ｎは１以上であり、好ましくはｎは２以上である。ｎ＝２のアルコキシグリコールは、アルコキシグリコール成分の質量を基準として約０．２５質量％〜約１０．００質量％の量で存在する。ｎ＝３のアルコキシグリコールは、約２５．０質量％〜約９９．５質量％の量で存在する。そしてｎが４以上のアルコキシグリコールは約０質量％〜約１５質量％の量で存在する。
【００１１】
好ましいアルコキシグリコール成分は、ｎが２以上の化学式からなり、そして組成物の約５０質量％〜１００質量％、好ましくは組成物の約６０質量％〜約９０質量％、そして最も好ましくは組成物の約７５質量％〜約８５質量％の量で液組成物中に存在する。
【００１２】
好ましいアルコキシグリコール成分は、ｎ＝２のアルコキシグリコール、ｎ＝３のアルコキシグリコール、ｎが４以上のアルコキシグリコール、またはそれらの混合物を含む。より好ましいアルコキシグリコール成分は、ｎ＝２のアルコキシグリコール、ｎ＝３のアルコキシグリコールおよびｎが４以上のアルコキシグリコールの混合物を含む。
【００１３】
１つの実施態様においては、アルコキシグリコール成分は、アルコキシグリコール成分の約０．５０質量％〜約２０質量％の量でｎ＝２のアルコキシグリコールを含む。好ましくは、ｎ＝２のアルコキシグリコールは、アルコキシグリコール成分の約１．５０質量％〜約５．００質量％の量で存在する。より好ましくは、ｎ＝２のアルコキシグリコールは、アルコキシグリコール成分の約２．００質量％〜約４．００質量％の量で存在し、そして、もっとも好ましくは、それはアルコキシグリコール成分の約２．５０質量％〜３．５０質量％の量で存在する。
【００１４】
別の実施態様においては、アルコキシグリコール成分は、ｎ＝３のアルコキシグリコールを含む。好ましくは、ｎ＝３のアルコキシグリコールは、アルコキシグリコール成分の約５０質量％〜約９９．５質量％の量で存在し、より好ましくは、それは約５５．０質量％〜約８５．０質量％の量で存在し、そして最も好ましくは、ｎ＝３のアルコキシグリコールはアルコキシグリコール成分の約６２．０質量％〜約６４．０質量％の量で存在する。
【００１５】
さらに別の実施態様においては、アルコキシグリコール成分はアルコキシグリコール成分の約０質量％〜約３０質量％の量のｎ＝４のアルコキシグリコールを含む。好ましくは、それは、アルコキシグリコール成分の約１質量％〜約２５質量％の量で存在し、より好ましくはアルコキシグリコール成分の約１０質量％〜約２０質量％、そして最も好ましくはアルコキシグリコール成分の約１４質量％〜約１６質量％の量で存在する。
【００１６】
アルコキシグリコール成分の適切なＲ基は、１〜８個の炭素原子を含むアルキル基である。好ましいアルコキシグリコール成分は、メチル、エチル、プロピル、ブチルまたはそれらの組み合わせからなるＲ基を含む。より好ましいアルコキシグリコールは、メチル、エチル、ブチルまたはそれらの組み合わせからなるＲ基を含む。さらに好ましいアルコキシグリコールは、メチル、ブチルまたはそれらの組み合わせからなるＲ基を含む。最も好ましいアルコキシグリコール成分は、メチルアルコキシグリコール（すなわちメトキシグリコール）とブチルアルコキシグリコール（すなわちブトキシグリコール）の混合物を含む。
【００１７】
限定するものではないが、有用なアルコキシグリコールの具体例としては、メトキシトリグリコール、メトキシジグリコール、メトキシポリグリコール、エトキシトリグリコール、エトキシジグリコール、エトキシテトラグリコール、プロポキシトリグリコール、ブトキシトリグリコール（例えばトリエチレングリコールモノブチルエーテル）、ブトキシジグリコール（例えばジエチレングリコールモノブチルエーテル）、ブトキシテトラグリコール、ペントキシジグリコール、ペントキシトリグリコール、２−エチルヘキシルジグリコールおよびそれらの混合物が挙げられる。
【００１８】
好ましいアルコキシグリコール成分としては、メトキシトリグリコール、メトキシジグリコール、メトキシポリグリコール、エトキシトリグリコール、エトキシジグリコール、エトキシテトラグリコール、ブトキシトリグリコール、ブトキシジグリコール、ブトキシテトラグリコールまたはそれらの混合物が挙げられる。
より好ましいアルコキシグリコール成分は、メトキシトリグリコール、メトキシジグリコール、メトキシポリグリコール、ブトキシトリグリコール、ブトキシジグリコール、ブトキシポリグリコールまたはそれらの混合物を含む。
最も好ましいアルコキシグリコール成分は、メトキシポリグリコール、ブトキシジグリコール、ブトキシトリグリコールまたはブトキシポリグリコールの混合物を含む。
【００１９】
１つの好ましい実施態様においては、アルコキシグリコール成分は、約５質量％〜約２０質量％のメトキシポリグリコール、約１質量％〜約６質量％のブトキシジグリコール、および約５０質量％〜約９０質量％のブトキシトリグリコールを含む。より好ましい実施態様においては、グリコール成分は、約１０質量％〜約１８質量％のメトキシポリグリコール、約２質量％〜約５質量％のブトキシジグリコール、および約５５質量％〜約８０質量％のブトキシトリグリコールを含む。最も好ましい実施態様は、アルコキシグリコール成分の約１６質量％〜約１７質量％の量のメトキシポリグリコール、アルコキシグリコール成分の約３質量％〜約４質量％の量のブトキシジグリコール（例えばダウ・ケミカル社（the Dow Chemical Company）から入手可能なｂｕｔｙｌ  ＣＡＲＢＩＴＯＬTM）、およびアルコキシグリコール成分の約７８質量％〜８０質量％の量のブトキシトリグリコールを含む。
【００２０】
限定するものではないが、有用なアルコキシグリコールを調製する方法としては、アルキレンオキシドをアルコールと反応させアルキルグリコールを生成するアルコキシル化反応が挙げられる。
【００２１】
１つの態様においては、高純度アルコキシグリコール成分の使用が好ましい。例えば、高純度アルコキシグリコールを用いることによって、適切な低温粘度が達成できる。特に、高純度ブトキシトリグリコールおよびブトキシジグリコールは、個々にまたは組み合わせて、望まれる低温粘度を維持するのを助けるために用いることができる。１つの態様においては、高純度アルコキシグリコールは、純度が少なくとも約９０％、純度が少なくとも約９７％、または純度が少なくとも約９８％である。１つの好ましい実施態様においては、高純度ブトキシトリグリコールおよび高純度ブトキシジグリコールが液組成物において利用される。
【００２２】
利用されるときは、好ましくは、アルコキシグリコールホウ酸エステル成分は次式を有する。
［ＲＯ（ＣＨ2ＣＨ2Ｏ）nＨ］3−Ｂ
ここで、Ｒは、１〜８個の炭素原子を含むアルキル基またはそれらの混合物であり、そしてｎは２〜４である。
【００２３】
随意のアルコキシグリコールホウ酸エステル成分の具体例としては、メトキシトリエチレングリコールホウ酸エステル、エチルトリエチレングリコールホウ酸エステル、ブチルトリエチレングリコールホウ酸エステルおよびそれらの混合物が挙げられ、それらは米国特許第６，５５８，５６９号明細書（引用によってここに組み入れられる。）に開示されている。ホウ酸エステル成分が組成物中に存在する場合、それは、好ましくは、組成物の約１０質量％未満の量で存在する。より好ましくは、ホウ酸エステル成分は、約４質量％未満の量で組成物中に存在する。１つの実施態様においては、本発明の液組成物は、実質的に、いかなるホウ酸エステル成分も含まない。
【００２４】
液組成物は、また、組成物の全質量を基準にして、０．３〜約１０質量％の添加剤パッケージを含むことができる。好ましくは、添加剤パッケージは、組成物の約１質量％〜約５質量％、より好ましくは組成物の約２質量％〜約４質量％、そして最も好ましくは組成物の約３．０質量％〜約３．５質量％の量で存在する。
【００２５】
適切な添加剤パッケージは、限定するものではないが、腐食抑制剤、ｐＨ安定剤のような安定剤、消泡剤、酸化防止剤およびそれらの組み合わせを含むことができる。
【００２６】
アルカノールアミンまたはアルキルアミンおよび他の有機アミンのような多くの既知の腐食抑制剤は、ホウ酸エステルを含む機能液の低温粘度を増加させるが、それは、次には、欧州特許出願公開第０７５００３３号明細書および欧州特許出願公開第０６１７１１６号明細書に開示されているもののような、より複雑で高価な添加剤の使用に至る。少量のホウ酸エステルを用いることによって、液組成物は、既知の腐食抑制剤を用いることができ、それでもなお、望まれる低温粘度を達成することができる。さらに、腐食抑制剤および添加剤の使用量を増やすと、低粘度を犠牲にせずに、改善された安定性または耐食性を達成することができる。
【００２７】
本発明の機能液組成物に用いることができる腐食抑制剤の種類の具体例としては、脂肪酸、たとえば、ラウリン酸、パルミチン酸、ステアリン酸またはオレイン酸、リンまたはリン酸と脂肪族アルコールのエステル、亜リン酸エステル、たとえば、リン酸エチル、リン酸ジメチル、リン酸イソプロピル、亜リン酸ブチル、亜リン酸トリフェニルおよび亜リン酸ジイソプロピル、複素環式窒素含有化合物、たとえば、ベンゾトリアゾールまたはその誘導体、およびそのような化合物と１，２，４トリアゾールの混合物およびその誘導体が挙げられる（米国特許第６，９７４，９９２号明細書を参照。引用によってここに組み入れられる。）。腐食抑制剤として有用な他のアミン化合物としては、ジ−ｎ−ブチルアミンおよびジ−ｎ−アミルアミンのようなアルキルアミン、シクロヘキシルアミンおよびそれらの塩が挙げられる。
本発明の機能液組成物において腐食抑制剤として特に有用なアミン化合物としては、アルカノールアミン、好ましくは各アルカノール基が１〜６個の炭素原子を含むアルカノール基を１〜３個含むものが挙げられる。有用なアルカノールアミンの具体例としては、モノ、ジおよびトリメタノールアミン、モノ、ジおよびトリエタノールアミン、モノ、ジおよびトリプロパノールアミンならびにモノ、ジおよびトリイソプロパノールアミンが挙げられる。１つの態様においては、ジイソプロパノールアミンが利用されるが、それは容易に入手可能であり低価格である。
【００２８】
添加剤パッケージは、また、好都合に、１つまたはそれ以上の腐食抑制剤に加えて、消泡剤、ｐＨ安定剤、酸化防止剤などのような他の添加剤化合物を含むことができ、それらはすべて機能液組成物の性能を増強するための熟練した配合者によく知られている。腐食抑制剤と組み合わせられるそのような他の添加剤は、通常、機能液組成物の全質量を基準として、約０．３〜約１０．０質量％の量で存在する。
【００２９】
１つの好ましい添加剤パッケージは、腐食抑制剤（例えばジイソプロパノールアミンＣＡＳ＃１１０−９７−４）、ｐＨ安定剤（例えば硝酸ナトリウムＣＡＳ＃２３−７２１−３）、消泡剤（例えばユニオン・カーバイド社（the Union Carbide Corporation）から入手可能なＳＡＧ  Ａｎｔｉｆｏａｍ  ＣＡＳ＃６３１４８−６２−９）および酸化防止剤（例えば２，４−ジメチル−６−ｔ−ブチルフェノールＣＡＳ＃１８７９−０９−０）を含む。
【００３０】
ＥＲＢＰまたはＷＥＲＢＰ温度を合格水準より下に低下させないように、または低温粘度を合格水準より高くさせないように注意する限りにおいて、他の物質を本発明の機能液に配合してもよいと考えられる。例えば、本発明の機能液は、組成物の全質量を基準として、約０質量％〜約３０質量％の希釈剤または潤滑剤、例えば、ポリエチレンオキシド、ポリプロピレンオキシド、ポリグリコール（例えばモノエチレングリコール、ジエチレングリコール、トリエチレングリコール、テトラエチレングリコールおよびエチレングリコールのより高モルの付加物の混合物）、ポリアルキレンオキシドジアルコキシグリコール、ホウ酸混合エステルまたはそれらの組み合わせを含むことができる。１つの好ましい実施態様は、ポリグリコールを、約５質量％〜約２５質量％の量で、より好ましくは約１５質量％〜約２２質量％の量で、そして最も好ましくは約１８．５質量％〜約１９．５質量％の量で含む。
【００３１】
本発明の教示は、また、受け入れ可能な最小のＥＲＢＰおよびＷＥＲＢＰ温度の維持しながら、さらに粘度を低下させるために、米国特許第４，３７１，４４８号明細書、欧州特許出願公開第０７５００３３号明細書および欧州特許出願公開第０６１７１１６号明細書（引用によってここに組み入れられる。）に開示されているもののような、より低い粘度を達成するために配合される他の液にも、適用することができると考えられる。
【００３２】
本発明の液組成物は、少なくとも約２０５℃、好ましくは少なくとも約２２５℃、より好ましくは少なくとも約２５０℃、そして最も好ましくは少なくとも約２７０℃またはそれ以上（例えば３００℃）のＥＲＢＰを有する。本発明の液組成物は、少なくとも約１４０℃、好ましくは少なくとも約１４５℃、そしてより好ましくは、少なくとも約１５０℃またはそれ以上（例えば１６０℃）のＷＥＲＢＰを有する。液組成物の−４０℃での低温粘度は、好ましくは１５００センチストーク（ｃＳｔ）未満、好ましくは約１２５０ｃＳｔ未満、より好ましくは約１０５０ｃＳｔ未満、そして最も好ましくは約８８０ｃＳｔ未満である。１つの実施態様においては、液組成物の−３０℃での低温粘度は、好ましくは約７５０ｃＳｔ未満、より好ましくは約５００ｃＳｔ未満、そして最も好ましくは約３５０ｃＳｔ未満である。
【実施例】
【００３３】
次の実施例は、本発明を限定するものではなく、本発明のある好ましい実施態様を説明するものである。
【００３４】
【表２】
2009507938.tif 000003
【００３５】
この機能液用配合物は、ＤＯＴ３ブレーキ液要件に関する物理的性質を測定するために分析された。その物理的性質は、連邦自動車規格１１６§５７１．１１６以下に示されたテスト手順を用いて測定された。
【００３６】
【表３】
2009507938.tif 000004
【００３７】
本発明の機能液は、多くの機械装置（例えば油圧リフト、起重機、フォークリフト、ブルドーザー、油圧ジャッキ、ブレーキ装置、それらの組み合わせなど）のための圧媒液として使用するのに非常に適している。これらの液組成物の高いＥＲＢＰ、ＷＥＲＢＰおよび低温粘度は、輸送車両（例えば、固定および回転翼航空機、列車、クラス１〜８の自動車など）のブレーキ装置に非常に適している。これらのブレーキ装置としては、アンチロックブレーキ装置（ＡＢＳ）、安定性制御装置またはそれらの組み合わせが挙げられる。したがって、本発明は、ここに開示された液組成物を含むこれらの装置のいずれをも含む。
従来の自動車ブレーキ装置は、マスターシリンダに操作しやすく接続されたデプレッション機構、空気または液圧の昇圧機、ブレーキラインおよびブレーキ機構を含む。ブレーキを操作するためには、運転者がデプレッション機構を押し、マスターシリンダがブレーキ液に圧力を加え、ブレーキ液がブレーキラインを通ってブレーキ機構に送られ、ブレーキ機構が少なくとも部分的に車輪の運動に抵抗する。従来のブレーキ装置は、従来のブレーキ液の高い粘度のために、ブレーキ機構を十分に作動させるために（例えば、１つ以上の車輪が道路の表面で滑ったときなどに、衝突を避けるために）ブレーキ液に加えられる圧力を増加させるために昇圧ポンプを必要とする。
【００３８】
本発明のブレーキ装置は、上述した低粘度機能液、従来のより高い粘度のブレーキ液またはそれらの組み合わせを含むことができる。好ましいブレーキ装置は、本質的に、上述した低粘度機能液からなるブレーキ液を含む。更に、本発明のブレーキ装置は所望により昇圧ポンプ（例えばプレチャージ昇圧ポンプ）を含むことができる。しかしながら、ここに開示されたブレーキ液の使用が昇圧ポンプを無関係にすることができるので、昇圧ポンプは好ましくはブレーキ装置に含まれない。昇圧ポンプの除外は、昇圧ポンプが必要とされる装置について原価削減を意味する。
【００３９】
複数の成分または工程の機能または構造は単一の成分または工程に組み合わせることができること、または１つの工程または成分の機能または構造は複数の工程または成分に分離することができることがさらに認識されるであろう。本発明はこれらの組み合せのすべてを考える。別段の言及のない限り、ここに描かれた様々な構造の寸法および形状は、本発明を限定するものではなく、他の寸法または形状も可能である。複数の構造の成分または工程は単一の統合された構造または工程によって提供することができる。あるいは、単一の統合された構造または工程は、別々の複数の成分または工程に分割することができる。さらに、本発明の特徴は、説明された実施態様のたった１つの文脈において記述されてきたが、そのような特徴は、任意の所定の用途のために、他の実施態様の１つ以上の他の特徴と組み合わせてもよい。また、ここの独特の構造の組立ておよびその実施もまた本発明に従う方法を構成することも、上記から認識されるであろう。本発明は、また、ここの方法の実施から生じる中間体および最終製品を包含する。「含む」または「包含する」の使用は、また、列挙された特徴「から本質的になる」または「からなる」実施態様をも意図する。
【００４０】
ここに示された説明および例証は、他の当業者に本発明、その原理およびその実用化を知らせるものである。当業者は、本発明を、特定の用途の要件に最も適するように、その多くの形で、適応させ適用することができる。従って、示された本発明の特定の実施態様は、発明を網羅したものでも限定したものでもない。したがって、本発明の範囲は、上記の記述を参照して決定されるべきではなく、むしろ、特許請求の範囲を参照して決定されるべきであり、そのような特許請求の範囲の均等の範囲も完全に権利を与えられる。特許出願および公報を含むすべての記事および引用文献の開示は、すべての目的のために、引用によって組み入れられる。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
式
ＲＯ（ＣＨ2ＣＨ2Ｏ）nＨ
（ここで、Ｒは１〜８個の炭素原子を含むアルキル基またはそれらの混合物である。）
からなるアルコキシグリコール成分５０質量％〜１００質量％（ただし、ｎ＝２のアルコキシグリコールはアルコキシグリコール成分の０．２５質量％〜１０質量％の量で存在し、ｎが４以上のアルコキシグリコールはアルコキシグリコール成分の０質量％〜３０質量％の量で存在する。）、
式
［ＲＯ（ＣＨ2ＣＨ2Ｏ）nＨ］3−Ｂ
（ここで、Ｒは１〜８個の炭素原子を含むアルキル基またはそれらの混合物であり、ｎは２〜４である。）
からなるアルコキシグリコールホウ酸エステル０質量％〜１０質量％、および
腐食抑制剤を含む添加剤パッケージ０．３質量％〜１０質量％
を含む機能液組成物。
【請求項２】
アルコキシグリコール成分が、５０質量％〜９０質量％のブトキシトリグリコールを含むことを特徴とする請求項１に記載の組成物。
【請求項３】
組成物がアルコキシグリコールホウ酸エステルを含まないことを特徴とする請求項１または２に記載の組成物。
【請求項４】
アルコキシグリコール成分が、
全アルコキシグリコール成分質量基準で５０質量％〜９０質量％のブトキシトリグリコール、
全アルコキシグリコール成分質量基準で１質量％〜６質量％のブトキシジグリコール、および
全アルコキシグリコール成分質量基準で５質量％〜２０質量％のメトキシポリグリコールを含み、
組成物が、
（ｉ）２５０℃以上の乾燥平衡還流沸点、
（ｉｉ）１４５℃以上の湿潤平衡還流沸点、または
（ｉｉｉ）−４０℃の温度で１０００ｃＳｔ以下の粘度
の１つまたは２つ以上の特性を有することを特徴とする請求項１〜３のいずれか１項に記載の組成物。
【請求項５】
（ａ）５０質量％〜１００質量％のアルコキシグリコール成分、（ｂ）０質量％〜１０質量％のアルコキシグリコールホウ酸エステル、および（ｃ）０．３０質量％〜１０質量％の添加剤パッケージを含む液を含む車両ブレーキ装置であって、
アルコキシグリコール成分が、全アルコキシグリコール成分質量基準で５０質量％〜９０質量％のブトキシトリグリコール、全アルコキシグリコール成分質量基準で１質量％〜６質量％のブトキシジグリコール、全アルコキシグリコール成分質量基準で０質量％〜５質量％のブトキシポリグリコール、および全アルコキシグリコール成分質量基準で５質量％〜２０質量％のメトキシポリグリコールを含むことを特徴とする車両ブレーキ装置。
【手続補正２】
【補正対象書類名】明細書
【補正対象項目名】００２７
【補正方法】変更
【補正の内容】
【００２７】
本発明の機能液組成物に用いることができる腐食抑制剤の種類の具体例としては、脂肪酸、たとえば、ラウリン酸、パルミチン酸、ステアリン酸またはオレイン酸、リンまたはリン酸と脂肪族アルコールのエステルまたは亜リン酸エステル、たとえば、リン酸エチル、リン酸ジメチル、リン酸イソプロピル、亜リン酸ブチル、亜リン酸トリフェニルおよび亜リン酸ジイソプロピル、複素環式窒素含有化合物、たとえば、ベンゾトリアゾールまたはその誘導体、およびそのような化合物と１，２，４トリアゾールの混合物およびその誘導体が挙げられる（米国特許第６，９７４，９９２号明細書を参照。引用によってここに組み入れられる。）。腐食抑制剤として有用な他のアミン化合物としては、ジ−ｎ−ブチルアミンおよびジ−ｎ−アミルアミンのようなアルキルアミン、シクロヘキシルアミンおよびそれらの塩が挙げられる。
本発明の機能液組成物において腐食抑制剤として特に有用なアミン化合物としては、アルカノールアミン、好ましくは各アルカノール基が１〜６個の炭素原子を含むアルカノール基を１〜３個含むものが挙げられる。有用なアルカノールアミンの具体例としては、モノ、ジおよびトリメタノールアミン、モノ、ジおよびトリエタノールアミン、モノ、ジおよびトリプロパノールアミンならびにモノ、ジおよびトリイソプロパノールアミンが挙げられる。１つの態様においては、ジイソプロパノールアミンが利用されるが、それは容易に入手可能であり低価格である。
【国際調査報告】
2009507938.tif 000005
2009507938.tif 000006